(57)【特許請求の範囲】
【請求項１】
シートガイド面に設けられた複数のノズルからの吹き出し空気によって搬送中のシートを該シートガイド面に沿うように案内する枚葉印刷機のシートガイド装置において、
上記複数のノズルが該シートガイド面に沿って空気を吹き出すように形成されるとともに、各ノズルからの空気の吹き出し方向が隣接するノズルからの空気の吹き出しにともない空気圧が最も低くなる領域に向くように各ノズルが配置され、
該ノズル群の内側に該シートガイド面から搬送中のシートに向けて空気を吹き出す空気吹き出し孔が設けられた
ことを特徴とする、枚葉印刷機のシートガイド装置。
【請求項２】
上記複数のノズルが一又は複数のノズル群を構成し、該ノズル群を構成する各ノズルからの吹き出し空気が一つの閉ループ状の旋回流となって連続するように各ノズルが配置された
ことを特徴とする、請求項１記載の枚葉印刷機のシートガイド装置。
【請求項３】
上記複数のノズルが一又は複数のノズル群を構成し、該ノズル群を構成する各ノズルからの吹き出し空気が一つの蛇行流となって連続するように各ノズルが配置された
ことを特徴とする、請求項１記載の枚葉印刷機のシートガイド装置。
【請求項４】
上記の蛇行流が該シートの搬送方向に逆らう方向に流れるように各ノズルが配置された
ことを特徴とする、請求項３記載の枚葉印刷機のシートガイド装置。
【発明の詳細な説明】
【０００１】
【発明の属する技術分野】
本発明は、枚葉印刷機のシートパスラインに近接して設備し、印刷を行っているシート（枚葉紙）を安定的に移送するためのシートガイド装置に関する。
【０００２】
【従来の技術】
図９は一般的な枚葉印刷機の全体構成を示す概略側面図である。図９に示すように、一般的な枚葉印刷機は、主なユニット（構成要素）として、給紙装置１８，印刷装置７，排紙装置９を備えている。このうち、給紙装置１８は給紙テーブル１９上へ被印物であるシート(枚葉紙)２を積重させておき、該シート２を１枚ずつ順次次工程の印刷工程へ供給する装置である。
【０００３】
次の印刷工程には、通常、墨，藍，紅，黄色等のインキや、その他の特殊な色のインキを備えた複数組の印刷装置７ａ〜７ｄ（図９中には４組のみ示しており、複数組の印刷装置全体については符合７で示す）が並設されており、給紙装置１８から連続的に供給されてくるシート２を、圧胴１５，中間胴８に具備させた図示しない爪装置を介して順次下流へ移送し、その途上において、各印刷装置７ａ〜７ｄが分担している色のインキを転移させ、多色印刷を行なう。また、印刷装置７ｂ，７ｃ間には反転胴２４が備えられ、印刷の途上においてシート２を反転させることによって表裏両面への印刷を可能にしている。
【０００４】
上記印刷装置７では、必要量のインキを図示しないインキ装置で調整した後、版胴２０の表面に装着している刷版２１へ供給し、版２１の絵柄部分に転移されたインキを更にゴム胴２２の表面へ転写し、このゴム胴２２外周面の絵柄をゴム胴２２と圧胴１５との間を搬送されているシート２へ転写することにより印刷を行なう。なお、印刷終了後のシート２は下流の排紙装置９へ移送される。
【０００５】
排紙装置９は、シート積重装置１３と排紙軸１０，エンドレスチェン１２，チェングリッパ１６等から構成されたシート搬送装置２８とを備えている。排紙装置９では、印刷を終了したシート２をシート搬送装置２８によりシート積重装置１３まで搬送し、シート積重装置１３で積重して適宜外部へ排出するようになっている。
【０００６】
このような構成により、給紙装置１８から供給されたシート２は、まず、第１印刷装置７ａで１色目の印刷が施され、第１印刷装置７ａの圧胴１５から中間胴８に渡され、更に第２印刷装置の圧胴１５へ受け渡されて２色目の印刷が施される。そして、表面への印刷を終えたシート２は反転胴２４おいて表裏を反転され、この状態で第３，第４印刷装置７ｃ，７ｄへ順次移載されて、裏面に目的とする多色印刷が施される。
【０００７】
所定の印刷を終えたシート２は、最終印刷装置７ｄの圧胴１５から排紙装置９の排紙軸１０へ移送され、排紙軸１０に巻回されて走行するエンドレスチェン１２のチェングリッパ１６へ受け渡され、チェングリッパ１６に把持された状態でシート積重装置１３まで移送される。シート積重装置１３まで移送されてきたシート２は、図示しないカム機構による適宜のタイミングでチェングリッパ１６から開放され、排紙テーブル１４上へ落下積重される。落下したシート２は、シート積重装置１３の下流側上方に設けられた紙当て１７に当接して前端が揃えられる。そして、排紙テーブル１４上に所定枚数のシート２が積重されると、積重されたシート２は外部へ搬出される。
【０００８】
ところで、枚葉印刷機では印刷した直後のシート２を順次下流工程へ搬送するため、排紙装置９に移送されたシート２の表面（図９中下側）のインキは完全に乾燥した状態ではなく、経路途上において他の部分に接触すると擦られて印刷面の汚れ、或いは傷入り等の不具合が発生する虞がある。そこで、これらのトラブルの発生を抑えるべく、例えば中間胴８の下方、排紙装置９における排紙軸１０から真空吸引車１１に至る立ち上がり部等のシートパスラインには、それぞれ種々多様な形式のシートガイド装置が設備されている。
【０００９】
例えば、排紙装置９のシート積重装置１３の上部上流側には、図９に示すように、真空吸引車１１とシートガイド装置としてのエアボックス４０とが設備されている。ここで、図１０〜図１２は、このシート積重装置１３の上部に設備された従来のシートガイド装置を示す図であり、図１０はシートガイド装置の概略構成を示す模式図である。また、図１１は図１０のＸI方向矢視平面図、図１２は図１０のＸII−ＸII方向矢視断面図である。
【００１０】
まず、真空吸引車１１は、シート２の搬送方向に直角に複数個配設され、両端部をフレーム３０，３０に回転自在に支持されたシャフト２６に等間隔に取り付けられている。シャフト２６は、図示しないモータを介して、或いは印刷機の速度と連動して回転するよう構成され、真空吸引車１１は、シャフト２６と一体となってシート搬送速度ｖ１よりも僅かに遅い所定の周速度ｖ２で回転するようになっている。
【００１１】
真空吸引車１１の外周面には複数の空気吸引孔２３が穿設され、シャフト２６の内部には軸方向に空気吸引路２６ａが形成されている。そして、真空吸引車１１の空気吸引孔２３は、この空気吸引路２６ａに連通している。また、空気吸引路２６ａはエア吸引手段としての空気吸引ポンプ２５に連結されている。このような構成により、空気吸引ポンプ２５を駆動すると、真空吸引車１１の内部が負圧になって空気吸引孔２３に外部空気が吸入され、シート２が真空吸引車１１に吸着される。これにより、シート２の落下に際してシート２の走行速度が減速され、シート２が紙当て１７に激突する不具合が解消されると共に、落下するシート２の姿勢が制御されるようになっている。なお、両面印刷機の場合は、シート２の印刷面への接触面積を極力小さくすべく、真空吸引車１１の軸方向幅は狭く形成されている。
【００１２】
エアボックス４０は、真空吸引車１１に近接してシート２の搬送方向上流側に設備されている。また、エアボックス４０は、その表面（シートガイド面）４０ａがシート２の搬送面に平行になるように配設され、シートガイド面４０ａには複数の空気吹き出し孔４１がシートガイド面４０ａに垂直に穿設されている。エアボックス４０の下端には配管５が接続され、エアボックス４０はこの配管５を介してブロア（空気供給源）６の吐出側へ連結されている。なお、エアボックス４０とブロア６との間には、ブロア６からエアボックス４０への空気の供給／遮断を制御する電磁弁２７が介装されている。このような構成により、エアボックス４０は、孔４１から吹き出される空気流の作用によってシート２を吹き上げ、シート２の印刷面が他の部分に接触して汚れたり傷が入ったりするのを防止するようになっている。
【００１３】
【発明が解決しようとする課題】
しかしながら、従来のシートガイド装置としてのエアボックス４０のように、空気流によりシート２を吹き上げる構成では、孔４１からのエアの吹き出し力が弱すぎる場合、シート２を十分に押し上げることができない。このため、真空吸引車１１の前方（上流）でシート２が垂れ下がり、シート２の印刷面がシートガイド面４０ａや図１２中に実線で示すように真空吸引車１１のシャフト２６部等に接触し、傷や汚れが発生するといった不具合があった。
【００１４】
また、逆に孔４１からのエアの吹き出し力が強すぎる場合、シート２の暴れや押し上げ等に起因してシート２と真空吸引車１１との間の吸着力が弱くなってしまう。このため、図１２中に二点差線で示すようにシート２の保持力が低回して、シート２の走行速度を制動したりシート２の姿勢を安定化する機能が大幅に低下するといった不具合があった。
【００１５】
このように、従来のシートガイド装置は孔４１からのエアの吹き出し力の調整が困難であり、シート２を安定して搬送するのが難かしいという課題があった。また、この課題は上述のようなシート積重装置１３の上部上流側に設備されるシートガイド装置に限られたものではなく、中間胴８の下方等、他のシートパスラインに設備されるシートガイド装置一般に共通する課題でもある。
【００１６】
本発明は、上述の課題に鑑み創案されたもので、シートを常に安定して搬送できるようにして、良好な印刷物を得ることができるようにした、枚葉印刷機のシートガイド装置を提供することを目的とする。
【００１７】
【課題を解決するための手段】
上記目的を達成するために、本発明の枚葉印刷機のシートガイド装置は、シートガイド面に設けられた複数のノズルからの吹き出し空気によって搬送中のシートを該シートガイド面に沿うように案内する枚葉印刷機のシートガイド装置において、上記複数のノズルが該シートガイド面に沿って空気を吹き出すように形成されるとともに、空気の吹き出し方向が隣接するノズルからの空気の吹き出しにともない空気圧が最も低くなる領域に向くように各ノズルが配置され、該ノズル群の内側に該シートガイド面から搬送中のシートに向けて空気を吹き出す空気吹き出し孔が設けられたことを特徴としている。
【００１８】
好ましくは、搬送中のシートと該シートガイド面との間で上記複数のノズルからの吹き出し空気が滞留するように各ノズルが配置されるようにする。
【００１９】
より好ましくは、上記複数のノズルが一又は複数のノズル群を構成し、該ノズル群を構成する各ノズルからの吹き出し空気が一つの閉ループ状の旋回流となって連続するように各ノズルが配置されるようにする。
【００２０】
また、上記複数のノズルが一又は複数のノズル群を構成し、該ノズル群を構成する各ノズルからの吹き出し空気が一つの蛇行流となって連続するように各ノズルが配置されるのも好ましい。
より好ましくは、上記の蛇行流が該シートの搬送方向に逆らう方向に流れるように各ノズルが配置されるようにする。
【００２１】
【発明の実施の形態】
以下、図面により、本発明の実施の形態について説明する。
まず、本発明の第1実施形態としての枚葉印刷機のシートガイド装置について図１〜図５を用いて説明する。図１は本実施形態にかかるノズルの配置状態を示す平面図であり、図２はそのノズルの形状とノズル近辺のシートガイド面上における圧力状態とを示す図である。また、図３及び図５は本実施形態のシートガイド装置の適用例を示す図であり、図４は特に図３の適用例における作用及び効果を説明するための図である。なお、これらの図中、前記した従来技術のものと共通する部品，部位については同一の符号を付し、一部説明は省略する。
【００２２】
本シートガイド装置は、図１に示すように、図示しない空気供給源から空気が圧送されるエアボックス３と、エアボックス３のシート２（図２参照）が通過する側に形成されたシートガイド面３ａと、シートガイド面３ａに設けられた複数のノズル４とを備えている。シートガイド面３ａはシート２の搬送面と平行を保つように形成され、シート２が直線的に搬送される位置ではシート搬送面に平行に平面状に形成され、シート２が曲線を描いて搬送される位置ではシート搬送面に平行に曲面状に形成されている。
【００２３】
本シートガイド装置は、シートガイド面３ａに設けられた複数個のノズル４からシートガイド面３ａに沿って空気を吹き出すことによってシート２を安定して搬送できるようにしたものである。このため、本シートガイド装置においては、シートガイド面３ａに沿って空気を吹き出すことを可能にすべく、図２（ｂ）に示すように、シートガイド面３ａに対して浅い角度に傾斜してノズル４が設けられている。ノズル４からシートガイド面３ａと完全に平行に空気を吹き出すのは困難であるため、吹き出し空気がシートガイド面３ａ平行に近い角度になるように、ノズル４がシートガイド面３ａに対して浅い角度に傾斜した方向に設けられているのである。
【００２４】
このようにシートガイド面３ａに沿って空気を吹き出すことにより、シート２の上下面には空気の流速差が生じる。この空気の流速差はシートガイド面３ａ側の静圧を減少させてシート２をシートガイド面３ａに沿わせ、シート２をシートガイド面３ａの近傍に保持させる。このとき、シートガイド面３ａの近傍においてシート２に加わる力（自重等）と空気流の抵抗とがバランスしたところでは、シート２はそれ以上空気流側に接近しなくなるので、シート２はシートガイド面３ａから僅かに浮上してガイド面３ａに非接触で走行する。
【００２５】
ところで、ノズル４からシートガイド面３ａに沿って空気を吹き出すことにより、シートガイド面３ａ直上における空気の圧力状態は図２（ａ）に示すようになる。即ち、シートガイド面３ａ直上においてノズル４から吹き出された空気が到達する箇所とその空気流の下流側では圧力状態は正圧になるが、この箇所よりも吹き出し方向の後方（空気流の上流側）では逆に圧力状態は負圧になり、ノズル４の吹き出し口近辺で最も負圧が大きくなる。このため、空気流によって正圧になっている領域においては上述のようにシート２とシートガイド面３ａとの接触が防止されるものの、負圧になっている領域においては負圧により吸引されたシート２がシートガイド面３ａに接触する虞がある。
【００２６】
そこで、本シートガイド装置では、図１に示すように各ノズル４の空気の吹き出し方向を隣接するノズル４の近辺において負圧が最大となる領域（即ち、平面視で隣接するノズル４の吹き出し口近辺）に向け、この負圧領域に空気を吹き込むことによって負圧を緩和するようにしている。より具体的には、各ノズル４を格子状に配置し、隣接し合う４つのノズル４を一組のノズル群３６として各ノズル４の吹き出し方向を隣接するノズル４へ向けて９０度ずつ転換させている。つまり、本シートガイド装置では、一組のノズル群３６を構成する４つのノズル４間において各ノズル４において発生する負圧を緩和し合うようになっている。
【００２７】
したがって、本シートガイド装置によれば、各ノズル４において発生する負圧が隣接するノズル４からの空気の吹き込みによって緩和されるため、負圧によってシート２がシートガイド面３ａに接触することが防止され、シート２の安定した搬送が実現されるという効果がある。
更に、本シートガイド装置によれば、各ノズル４から吹き出された空気流は一つの閉ループ状の旋回流となって滞留するので、シートガイド面３ａとシート２との間に空気層が形成されることになり、この空気層のクッション機能によってシート２の搬送姿勢をより安定化させることができるという効果もある。
【００２８】
なお、上記空気層の厚さは、エアボックス３に供給する圧縮空気の圧力やノズル４の開口面積等を適宜設定することによって任意に調整制御することができる。また、図１では、反時計回りに空気流が旋回するように各ノズル４の向きを設定しているが、逆に時計周りに空気流が旋回するように各ノズル４の向きを設定してもよい。また、時計回りのノズル群と反時計周りのノズル群との組み合わせであってもよい。更に、一組のノズル群を構成するノズル４の数としては、３個或いは６個等、例示した４個以外の数でも良い。
【００２９】
次に、本シートガイド装置を枚葉印刷機に適用した場合の具体的な効果について説明する。まず、図３は本シートガイド装置を排紙装置９のシート積重装置１３の上部上流側に設置した場合について示す概略構成図である。ここでは、図３に示すように、エアボックス３は真空吸引車１１の近傍でシート２の搬送方向上流側に配設され、シートガイド面３ａは平面状に形成されている。また、エアボックス３への空気供給源としてはブロワ６が備えられ、ブロワ６からエアボックス３へ配管５及び電磁弁２７を介して圧送空気が供給されるようになっている。
【００３０】
このような構成により、ブロア６を駆動させて空気圧を上昇させ、電磁弁２７を開口してエアボックス３に圧縮空気を供給すると、シートガイド面３ａに設けられたノズル４から空気流が吹き出され、シートガイド面３ａとシート２の間に所定の厚みの空気層が形成される。これにより、シート２とシートガイド面３ａとの接触が防止されるの加え、図４に示すように、シート２は一定の安定した姿勢で真空吸引車１１に搬送されることになるので、シート２と真空吸引車１１のシャフト２６部との接触も防止される。また、シート２の搬送姿勢が安定することによって、真空吸引車１１の吸着力が妨げられることがなく、シート２は真空吸引車１１の外周面へ確実に吸着保持される。
【００３１】
したがって、本シートガイド装置によれば、シート積重装置１３の上部上流側に真空吸引車１１に近接して設置されることによって、シート２と真空吸引車１１のシャフト２６部との接触による汚損や傷入等の不具合を防止できるとともに、シート２の落下時の姿勢を制御してシート積重装置１３の排紙テーブル１４上へシート２を安定的に積重させることができるという効果がある。
【００３２】
また、本シートガイド装置は、排紙装置９の入り口である排紙軸１０の下方に設置することも可能である。ここで、図５は本シートガイド装置を排紙軸１０の下方に設置した場合について示す概略構成図である。ここでは、図５に示すように、エアボックス３はエンドレスチェン１２の走行経路（軌跡）に沿って複数配置され、各エアボックス３のシートガイド面３ａは凹型の曲面状に形成されている。また、エアボックス３への空気供給源としては図３と同様にブロワ６が備えられ、ブロワ６からエアボックス３へ配管５及び電磁弁２７を介して圧送空気が供給されるようになっている。
【００３３】
このような構成により、シート２はばたつくことなくシートガイド面３ａに沿って一定の安定した姿勢で排紙軸１０の下方を搬送されるようになる。したがって、このように本シートガイド装置を排紙軸１０の下方に設置した場合にも、シート２の印刷面が他の部分に接触して汚損や傷入等の不具合が発生することを防止できるという効果がある。
【００３４】
なお、上記の凹面状のシートガイド面３ａを備えたシートガイド装置は、中間胴８の下方等にも適用することができる。また、本シートガイド装置にかかるシートガイド面３ａは凸型の曲面状に形成することも可能である。この場合は、排紙軸１０の下流側のエンドレスチェン１２の立ち上がり部におけるシートガイド装置として適用することができる。
【００３５】
次に、本発明の第２実施形態としての枚葉印刷機のシートガイド装置について図６を用いて説明する。なお、図６は本実施形態にかかるノズルの配置状態を示す平面図である。
本シートガイド装置は、第１実施形態と同様の配置でシートガイド面３２ａ上に各ノズル４を設けたものであるが、更に、各ノズル群３６の中央に、シートガイド面３２ａと垂直に空気吹き出し孔３１を穿設したことを特徴としている。他の構成については第１実施形態と同様であり、図示しない空気供給源からエアボックス３１に空気を圧送し、各ノズル４及び各孔３１から空気流を吹き出すようになっている。
【００３６】
このような構成により、本シートガイド装置によれば、第１実施形態と同様の効果が得られる他、更に、各ノズル群３６の中央に穿設された空気吹き出し孔３１からのシート２に対し垂直方向への空気流の吹き出しによって、シート２とシートガイド面３２ａとの間により安定した空気滞留層を形成することができ、シート２を更に安定して搬送することができるという効果がある。
【００３７】
なお、ここでは各ノズル群３６の全てに対して空気吹き出し孔３１を穿設しているが、一部のノズル群３６に対して空気吹き出し孔３１を穿設するだけでも一定の効果を得ることができる。また、本シートガイド装置も、第１実施形態と同様にシート積重装置１３の上部や排紙軸１０の下方等、シートパスラインに沿った種々の位置に設備することができる。
【００３８】
上記の第１，第２実施形態では、各ノズル４の空気の吹き出し方向を隣接するノズル４の近辺において負圧が最大となる領域に向けるとともに、各ノズル４から吹き出した空気流が連続した閉ループ状の旋回流を形成するように各ノズル４を配置しているが、各ノズル４の配置は第１，第２実施形態のものに限定されない。即ち、各ノズル４からの空気流の吹き出しにより発生する負圧を緩和させるには、少なくとも各ノズル４の空気の吹き出し方向が隣接するノズル４の吹き出し口近辺に向くような配置であればよく、閉ループ状の配置に限らない。また、より好ましくは、シート２とシートガイド面３ａとの間に空気滞留層が形成されるような配置であればよい。したがって、以下の第３，第４実施形態のように各ノズル４を配置することも可能である。
【００３９】
図７は本発明の第３実施形態としての枚葉印刷機のシートガイド装置にかかるノズルの配置状態を示す平面図である。
本シートガイド装置も、第１，第２実施形態と同様にエアボックス３３のシートガイド面３３ａ上において各ノズル４を格子状に配置しているが、第１，第２実施形態のように各ノズル４から吹き出す空気流が閉じた状態で連続するように配置したものではなく、シート２の搬送方向に垂直な方向に各ノズル４から吹き出した空気流が蛇行しながら流れるように配置したものである。具体的には、シート２の搬送方向に並んだ各ノズル４を２列毎に１組のノズル群３７とし、各ノズル群において各ノズル４の吹き出し方向が鍵状に連続するように各ノズル４が配置されている。また、各ノズル群３７におけるノズル４の配置パターンは、各ノズル群３７において発生する空気の蛇行流の方向が互いに逆方向になるように設定されている。
【００４０】
このような構成により、本シートガイド装置によれば、第１，第２実施形態と同様に各ノズル４において発生する負圧が隣接するノズル４からの空気の吹き込みによって緩和されるため、負圧によってシート２がシートガイド面３３ａに接触することが防止され、シート２の安定した搬送が実現されるという効果がある。
【００４１】
更に、各ノズル４から吹き出した空気流は連続した閉ループ状の流れとはならないものの、シート２とシートガイド面３３ａとの間を蛇行しながら流れるので、空気流はシート２とシートガイド面３３ａとの間で滞留して空気層を形成する。したがって、本シートガイド装置によっても、第１，第２実施形態と同様にシートガイド面３３ａとシート２との間に形成された空気層によって、シート２の搬送姿勢をより安定化させることができるという効果がある。
【００４２】
なお、本シートガイド装置においても、第２実施形態のように、シートガイド面３３ａ上の適宜の位置にシート２に対して垂直に空気を吹き出す空気吹き出し孔を穿設してもよい。また、図７中では２組のノズル群３７のみを示しているが、シート２の搬送方向に向けてより複数のノズル群３７を配置してもよい。また、本シートガイド装置も、第１実施形態と同様にシート積重装置１３の上部や排紙軸１０の下方等、シートパスラインに沿った種々の位置に設備することができる。
【００４３】
次に、本発明の第４実施形態としての枚葉印刷機のシートガイド装置について図８を用いて説明する。なお、図８は本実施形態にかかるノズルの配置状態を示す平面図である。
本シートガイド装置は、第３実施形態と同様に各ノズル４から吹き出した空気流が蛇行しながら流れるように各ノズル４を配置したものであるが、第３実施形態とは異なり、蛇行した空気流の流れる方向をシート２の搬送方向に逆らう方向に設定している。具体的には、エアボックス３４のシートガイド面３４ａ上において各ノズル４を格子状に配置し、シート２の搬送方向に垂直な方向に並んだ各ノズル４を２列毎に１組のノズル群３８として各ノズル群３８における各ノズル４の吹き出し方向が鍵状に連続するように各ノズル４が配置されている。また、各ノズル群３８におけるノズル４の配置パターンは、シート２の搬送方向の中心線を基準として左右対称に設定されている。
【００４４】
このような構成により、本シートガイド装置によれば、第１〜第３実施形態と同様の効果が得られる他、ノズル４から吹き出された空気流がシート２の搬送方向に逆らう方向に流れることにより、シート２の上下面における空気流の相対速度差が大きくなって、シート２をシートガイド面３４ａに沿わせる吸着力が更に高まるという効果がある。
【００４５】
なお、本シートガイド装置においても、第２実施形態のように、シートガイド面３４ａ上の適宜の位置にシート２に対して垂直に空気を吹き出す空気吹き出し孔を穿設してもよい。また、図８では、各ノズル群３８におけるノズル４の配置パターンをシート２の搬送方向の中心線を基準として左右対称に設定しているが、右から左へ交互にノズル４の配置パターンを変えるようにしてもよい。また、本シートガイド装置も、第１実施形態と同様にシート積重装置１３の上部や排紙軸１０の下方等、シートパスラインに沿った種々の位置に設備することができる。
【００４６】
以上、本発明の実施形態について説明したが、本発明はこれら実施形態に限定されるものではなく、本発明の趣旨を逸脱しない範囲で種々変形して実施することができる。例えば、ノズル４の配置パターンについては、上述の第１〜第４実施形態のものに限定されるものではなく、例えば、第１実施形態の配置パターンに第３，第４実施形態の配置パターンを組み合わせたり、第３実施形態の配置パターンに第４実施形態の配置パターンを組み合わせる等、本発明の趣旨を逸脱しない範囲で種々のパターンを適用することができる。
【００４７】
【発明の効果】
以上詳述したように、本発明の枚葉印刷機のシートガイド装置によれば、複数のノズルからのシートガイド面に沿った空気の吹き出しにより搬送中のシートをシートガイド面に沿わせる吸着力を発生させることができると同時に、各ノズルからの空気の吹き出しにより発生する空気圧の低下が隣接するノズルからの空気の吹き込みによって緩和されるため、負圧によって搬送中のシートがシートガイド面に接触することが防止され、シートの安定した搬送が実現されるという効果がある。更に、上記ノズル群の内側に設けた空気吹き出し孔から搬送中のシートに向けて空気を吹き出すことによって、シートとシートガイド面との間に更に安定した空気層を形成することができ、シートを更に安定して搬送することができるという効果がある。
【００４８】
また、ノズルからの吹き出し空気がシートとシートガイド面との間で滞留するように各ノズルが配置されることによって、シートとシートガイド面との間に空気層が形成され、この空気層のクッション機能によってシートの搬送姿勢をより安定化させることができるという効果がある。
【００４９】
特に、隣接する複数のノズルからなる一又は複数のノズル群を構成し、ノズル群を構成する各ノズルからからの吹き出し空気が一つの閉ループ状の旋回流となって連続するように各ノズルが配置されることによって、より安定した空気層が形成され、シートの搬送姿勢をより安定化させることができるという効果がある。
【００５０】
また、隣接する複数のノズルからなる一又は複数のノズル群を構成し、ノズル群を構成する各ノズルからの吹き出し空気が一つの蛇行流となって連続するように各ノズルが配置されることによっても、より安定した空気層が形成され、シートの搬送姿勢をより安定化させることができるという効果がある。
この場合、更に、上記の蛇行流がシートの搬送方向に逆らう方向に流れるように各ノズルが配置されることによって、シートの上下面における空気流の相対速度差が大きくなって、シートをシートガイド面に沿わせる吸着力が更に高まるという効果もある。
【図面の簡単な説明】
【図１】本発明の第1実施形態にかかるシートガイド面上でのノズルの配置状態を示す平面図である。
【図２】本発明の第1実施形態にかかるノズルの特性を示す図であり、（ａ）はノズル近辺のシートガイド面上における圧力状態を示す図、（ｂ）はノズルの形状を示す断面図である。
【図３】本発明の第1実施形態としての枚葉印刷機のシートガイド装置を枚葉印刷機のシート積重装置の上部に設置した例を示す模式的な側面図である。
【図４】本発明の第1実施形態としての枚葉印刷機のシートガイド装置をシート積重装置の上部に設置した場合の作用及び効果を説明するための図であり、図３のIＶ−IＶ矢視断面図であり、一部断面表示は省略する。
【図５】本発明の第1実施形態としての枚葉印刷機のシートガイド装置を枚葉印刷機の排紙軸の下方に設置した例を示す模式的な側面図である。
【図６】本発明の第２実施形態にかかるシートガイド面上でのノズルの配置状態を示す平面図である。
【図７】本発明の第３実施形態にかかるシートガイド面上でのノズルの配置状態を示す平面図である。
【図８】本発明の第４実施形態にかかるシートガイド面上でのノズルの配置状態を示す平面図である。
【図９】一般的な枚葉印刷機の全体構成を示す概略側面図である。
【図１０】従来の枚葉印刷機用シートガイドの概略構成を示す側面図である。
【図１１】図１０のＸI方向矢視平面図である。
【図１２】図１０のＸII−ＸII方向矢視断面図であり、一部断面表示は省略する。
【符号の説明】
２  シート
３，３２，３３，３４，４０  エアボックス
３ａ，３２ａ，３３ａ，３４ａ，４０ａ  シートガイド面
４  ノズル
５  配管
６  ブロア（空気源）
７，７ａ〜７ｄ  印刷装置
８  中間胴
９  排紙装置
１０  排紙軸
１１  真空吸引車
１２  エンドレスチェン
１３  シート積重装置
１４  排紙テーブル
１５  圧胴
１６  チェングリッパ
１７  紙当て
１８  給紙装置
１９  給紙テーブル
２０  版胴
２１  刷版
２２  ゴム胴
２３  空気吸引孔
２４  シート反転胴
２５  空気吸引ポンプ
２６  シャフト
２７  電磁弁
２８  シート搬送装置
３０  フレーム
３１，４１  空気吹き出し孔
３６，３７，３８ノズル群
【図１】
0003758948.tif 000002
【図２】
0003758948.tif 000003
【図３】
0003758948.tif 000004
【図４】
0003758948.tif 000005
【図５】
0003758948.tif 000006
【図６】
0003758948.tif 000007
【図７】
0003758948.tif 000008
【図８】
0003758948.tif 000009
【図９】
0003758948.tif 000010
【図１０】
0003758948.tif 000011
【図１１】
0003758948.tif 000012
【図１２】
0003758948.tif 000013